(57)【特許請求の範囲】
【請求項１】
非接触ＩＣカードに電力を供給しつつ、該ＩＣカードとデータ通信を行なう機能を有する非接触ＩＣカード用送受信装置に於いて、該ＩＣカードが該送受信装置上に存在することを検出する手段と、該手段がＩＣカードを検出したことで動作し、通信中に該ＩＣカードの離隔ができないように該ＩＣカードを該送受信装置に固定する押え板とを設けたことを特徴とする非接触ＩＣカード用送受信装置。
【請求項２】
請求項１記載の非接触ＩＣカード用送受信装置に於いて、前記押え板の前記ＩＣカード内コイル位置と対応する部分に酸化物磁性体を埋め込んだことを特徴とする非接触ＩＣカード用送受信装置。
【発明の詳細な説明】
【０００１】
【発明の属する技術分野】
非接触ＩＣカード用送受信装置に関し、特に高いセキュリティを必要とする密着型非接触ＩＣカード、例えばＩＳＯ−１０５３６準拠の密着型非接触ＩＣカード用送受信装置に関する。
【０００２】
【従来の技術】
現在、非接触ＩＣカードは一般的にセキュリティの高い密着型とセキュリティの低い近接型、及び遠隔型に分かれるが、コストや消費電力の面から電磁結合方式が殆どである。電磁結合方式は送信側と受信側にコイルを設け、空中トランスの形で行なわれるため効率は極めて悪い。従って電磁結合による結合方式ではその効率を上げるため特開平３−１９３３９８、特開平７−９４３５４等に記載されているように酸化物磁性体、一般にはフェライトコアによって磁路を確保し、漏れ磁束を減らすことで対処しているのが一般的であり、ＩＳＯ−１０５３６（密着型非接触ＩＣカードに関する規格）に記されている送受信装置においても同様に２対のコイルはフェライトコアによって磁路接続され、磁気抵抗を低くするようにしている。
【０００３】
【発明が解決しようとする課題】
非接触ＩＣカードは接触式ＩＣカードに比較してコネクタピンに関する接触不良等のトラブルが無い反面、接触式のようにカードをがっちりと固定する概念がないため送受信装置からカードを簡単に取り外すことができる。そのため、通信中、特にデータ書き込み、例えばＥＥＰＲＯＭへの書き込み途中に送受信装置からカードを離すとカード内部のデータを破壊し、最悪復旧が不可能になる短所を合わせ持っている。従って、特にデータ量が多く、リードライトを頻繁に行なう高セキュリティを必要とするカードの場合は通信中にカードの離隔ができないように送受信装置中に固定する必要も生じる。電磁結合による非接触式の場合、金属物によって固定することは磁界を乱すことになるのでプラスチック等で固定する方法が考えられると同時に磁気抵抗を低減して磁界を効率良くカードに伝送することも重要な課題である。
【０００４】
【課題を解決するための手段】
前記課題のＩＣカードを簡単にとりはずせないようにする方法として、送受信装置内にＩＣカードが存在することを検出するカード検出手段と、該手段がＩＣカードを検出したことで動作し、通信中に該ＩＣカードの離隔ができないように該ＩＣカードを該送受信装置に固定する押え板とを設ける。又、前記押え板は非磁性体の樹脂とし、この樹脂内にフェライトなどの酸化物磁性体を埋め込み、電磁結合されているコイルの磁路の磁気抵抗を低減する手段を設ける。
【０００５】
【発明の実施の形態】
以下、本発明の実施の形態を図面を参照して説明する。
【０００６】
図１は本発明のカードを押える構造を説明するための模式図である。図１（ａ）ではカード６は送受信装置１から離れており、その際は押え板３は上がっている。押え板３には後述する酸化物磁性体のフェライト４，４’が埋め込まれている。押え板３は可動式取付け治具５，５’によって支えられている。図１（ｂ）でカードが送受信装置１上に置かれるとカード検出器２がカードを検出し、図１（ｃ）で示すように押え板３でカード６を押える動作をする。これは非接触ＩＣカードに於いてはカード内部の不揮発メモリに書き込む時が最も重要な時であり、書き込みの最中にエリアから外れると内部メモリの内容を破壊してしまう危険制を持っている。このことから書き込み時、特に密着型の高セキュリティを要する場合はカードを動かさない事が重要な要素になっており、前記の如く、書き込み時にカードを押えることは非常に効果がある。又、カードを押える材質にも重要な要素があり、それは、非接触ＩＣカードは電磁結合によって電力及びデータ伝送が行われることにある。それには図４にてＩＳＯ−１０５３６の密着型非接触ＩＣカード規格の送受信装置のコイル周辺について説明する必要がある。ＩＳＯ−１０５３６規格は高セキュリティ用途の規格であり、送受信装置の伝送用コイルとＩＣカード内のコイルは密着によって磁気接続をするよう定められている。従って、カードの重なる方向が前後表裏に変わってもコイル中心が合うようにカードには２個のコイル、送受信装置には図４に示すように４個のコイルが設けられている。送受信装置４１には４個のコイル４２〜４３’が設けられてあり、対するカードには４２，４２’か４３，４３’の位置にコイルが合うように規格化されているので、組合せによってカードの表裏の変化に対応するようになっており、フェライトコア４４で磁気接続する構成である。図４（ｂ）はフェライトコアの配置を立体的に透視した図である。本発明の送受信装置においても図２（ａ）に示すように平面的に見ると４個のコイル１１，１１’、１２，１２’が配置されている。図２（ｂ）は同送受信装置１をカード挿入口正面から透視した図であり、図２（ｃ）は同送受信装置に入れるカードを平面的に示した図である。本発明の送受信装置１は本発明の押え板３を備えているためカードを挿入する形になる。正面から透視するとカード６は本発明の押え板３によって押えられている。ここで該押え板の材質が問題となる。押え板が例えばプラスチック材や樹脂等、最悪何もなく空気中となれば図３に示すようにコイル１１，１１’か或いは１２，１２’から発生した磁界はコイル自身の周りに漏れ磁束２０として分散したり、フェライトコア１３，１３’を過って磁束分散をしてカード内プリントコイルに流れる磁束密度は低くなる。そのため、図２に示すように押え板をフェライト材にすることでコイル１１〜１２’、フェライトコア１３，１３’、押え治具３のフェライト材４，４’によって閉磁路１４，１４’が構成されることで磁気抵抗が下がり、磁束の漏れを極力抑制することでカード内プリントコイルを通過する磁束密度を最大限にすることが可能になる。従って本発明の押え治具によってカードを押えることと、押え治具がフェライト材である事は、密着型非接触ＩＣカードの利用に際しては非常に有効に働くことになる。
【０００７】
【発明の効果】
フェライト板の板状構造によってカードを押えることでカードを取り外されることによるデータ破壊を防止すると共に、閉磁路を確保することで磁束通過部分の磁気抵抗を低減させる効果がある。又、磁気抵抗を下げることで発生させる磁界の強さも低くすることが可能となり、送受信装置としての消費電力低減にも効果がある。
【図面の簡単な説明】
【図１】本発明の非接触ＩＣカード用送受信装置を示す図。
【図２】本発明の非接触ＩＣカード用送受信装置のコイル位置を示す図。
【図３】ＩＳＯ−１０５３６準拠非接触ＩＣカード用送受信装置においての磁束漏れを説明する図。
【図４】ＩＳＯ−１０５３６準拠の非接触ＩＣカード用送受信装置の図。
【符号の説明】
１…非接触ＩＣカード用送受信装置、２…非接触ＩＣカード検出器、３…カード押え板、４，４’…フェライト材質板、５，５’…可動式取付け治具、６…非接触ＩＣカード、１１，１１’，１２，１２’…送受信装置コイル、１３，１３’…送受信装置内フェライトコア、１４，１４’…磁束の流れ、１５，１５’…カード内プリントコイル。
【図１】
0003735431.tif 000002
【図２】
0003735431.tif 000003
【図３】
0003735431.tif 000004
【図４】
0003735431.tif 000005